(57)【特許請求の範囲】
【請求項１】
木造建築物の壁体に沿って方向を変えながら複数の踏み板が設けられた階段の踏み板を支持する構造であって、
該階段の外回り縁に沿った壁体に設けられた柱又は間柱に受け桁材が支持され、該受け桁材に前記踏み板の側端部が支持されており、
前記受け桁材は、前記柱又は前記間柱に水平に取り付けられる第１の水平部と、該第１の水平部の一端からほぼ鉛直で上方に伸びた鉛直部と、該鉛直部の上端から前記第１の水平部が伸びる方向と逆の方向に伸びた第２の水平部とを有し、
該受け桁材は、前記鉛直部の厚さ方向の一部が前記第１の水平部と連続した第１の構成部材と、前記鉛直部の厚さ方向の前記第１の構成部材に備えられている部分を除く部分が前記第２の水平部と連続した第２の構成部材とを接合したものであり、前記第１の構成部材が有する前記鉛直部の一部と前記第２の構成部材が有する前記鉛直部の一部とを重ね合わせ、ほぼ均等な厚さの連続する部材となっていることを特徴とする踏み板支持構造。
【請求項２】
木造建築物の壁体に沿って方向を変えながら複数の踏み段が設けられた階段の構築方法であって、
前記壁体に設けられた柱又は間柱にほぼ水平に固定される第１の水平部分の一端に、該水平部分の厚さ方向の一部に相当する厚さの第１の鉛直部分がＬ字状に連続した第１の構成部材と、
前記第１の水平部分とほぼ同じ厚さを有する第２の水平部分の一端に、前記第１の鉛直部分と重ね合わせて前記第１の水平部分及び第２の水平部分とほぼ同じ厚さとなる第２の鉛直部分がＬ字状に連続した第２の構成部材と、を製作し、
前記階段の踏み板の奥行き及び踏み板の段差に応じて、前記第１の構成部材及び第２の構成部材のそれぞれの水平部分及び鉛直部分の端部を切断して長さを調整し、
前記第１の鉛直部分と前記第２の鉛直部分とを重ね合わせて前記第１の構成部材と前記第２の構成部材とを接合して、第１の踏み板を支持する第１の水平部と、第１の踏み板に隣接し所定の段差を有する第２の踏み板を支持する第２の水平部と、前記第１の水平部の端部と前記第２の水平部の端部とを鉛直方向に連結する鉛直部とが、ほぼ均等な厚さで連続する受け桁材とし、
該受け桁材を、該階段の外回り縁に沿った壁体に設けられた柱又は間柱に固定し、
該受け桁材の前記第１の水平部及び第２の水平部上に、前記踏み板の外回り縁側の端部を支持させて前記踏み板を設けることを特徴とする階段の構築方法。
【発明の詳細な説明】
【技術分野】
【０００１】
本発明は、木造の建築物における階段の踏み板を支持する構造及び階段を構築する方法に関するものである。
【背景技術】
【０００２】
木造建築物の下層階と上層階との間を昇降するために設けられる階段には、下層階から直線的に上層階へ向かう直階段の他、進む方向を９０°又は１８０°変えながら上層階に至る階段が広く用いられている。方向を変えながら昇降する階段は、高さ方向の中程に、昇降する方向を変更する廻り階段部を設け、その上部及び下部に直階段部を設けるものが多い。このような階段の廻り階段部では、踏み板の奥行き方向の寸法が左右で相違し、奥行き寸法が小さくなった側端部は、一つの柱に高さを変えて段毎に支持部材が取り付けられ、これらの支持部材によって支持される。一方、奥行き寸法が大きくなった側端部は、壁体に取り付けられた受け桁材によって支持されるものが多い。つまり、廻り階段部の外回り縁に沿って壁体が設けられ、この壁体を構成する柱や間柱に受け桁材を介して支持されるものである。
【０００３】
上記のような廻り階段部において踏み板を支持する構造は、例えば特許文献１及び特許文献２に記載されているように、厚板からなる幅広の受け桁材を傾斜させて壁面に取り付け、これに踏み板を支持させるものが一般に採用されている。この受け桁材には、踏み板を支持する位置及び蹴上げ板を設ける位置に合わせて溝を切削しておく。そして、これらの溝に踏み板及び蹴込み板を嵌め入れて支持するものである。また、図８に示すように幅広の受け桁材１０１の上縁を踏み板１０２，１０３，１０４の位置に合わせて水平部分と鉛直部分とが交互となるように切り欠き、水平部の上に踏み板を支持するものも採用されている。上記受け桁材１０１は、廻り階段部の外回り縁に沿った位置に立設されている柱１０６に対して直接に、又は補助部材１０８を介して柱１０５，１０７にビス１０９等により固定されている。
【０００４】
一方、廻り階段部の外回り縁では、踏み板の奥行き方向の寸法が大きくなるので、図９に示すように一段毎に水平方向の受け桁材１１１，１１２，１１３を柱１１４，１１５，１１６又は間柱１１７等に固定して踏み板１１８，１１９，１２０を支持するものも採用される。この構造では、廻り階段部で踏み板１１９，１２０の段鼻部１１９ａ，１２０ａの位置が外回り縁で柱１１５と間柱１１７との間になり、受け桁材１１２，１１３の端部を柱又は間柱で支持できないことがある。このような場合には、柱１１５と間柱１１７の間の壁体内に下地材１２１，１２２を別途に架け渡し、この下地材１２１，１２２に受け桁材１１２，１１３の端部を支持させることになる。
【先行技術文献】
【特許文献】
【０００５】
【特許文献１】特開平９−４１６０７号公報
【特許文献２】特開平７−３０５４７２号公報
【発明の概要】
【発明が解決しようとする課題】
【０００６】
上記のような従来の構造では、次のように解決が望まれる課題がある。
幅広の厚板からなる受け桁材を用いる構造では、受け桁材の部材寸法が大きく、材料費が嵩むことになる。また、廻り階段部の下側を収納スペースとして利用するときに、斜めに天井は取り付け難く、受け桁材の下端部の下側で水平に設けることになる。また、受け桁材の幅方向の寸法が大きく、収納スペースの高さが制限されてしまうことになる。
一方、踏み板毎に水平方向の受け桁材を設ける構造では、壁体内に水平方向の下地材を設けるための工程が必要となり、工数が多くなってしまう。
【０００７】
本発明は、上記のような事情に鑑みてなされたものであり、その目的は、木造建築物の構築現場において簡単に受け桁材を取り付けることができ、材料費を抑えることができる廻り階段部の踏み板支持構造及びこの支持構造を備える階段の構築方法を提供することである。
【課題を解決するための手段】
【０００８】
上記課題を解決するために、請求項１に係る発明は、  木造建築物の壁体に沿って方向を変えながら複数の踏み板が設けられた階段の踏み板を支持する構造であって、  該階段の外回り縁に沿った壁体に設けられた柱又は間柱に受け桁材が支持され、該受け桁材に前記踏み板の側端部が支持されており、  前記受け桁材は、前記柱又は前記間柱に水平に取り付けられる第１の水平部と、該第１の水平部の一端からほぼ鉛直で上方に伸びた鉛直部と、該鉛直部の上端から前記第１の水平部が伸びる方向と逆の方向に伸びた第２の水平部とを有し、  該受け桁材は、前記鉛直部の厚さ方向の一部が前記第１の水平部と連続した第１の構成部材と、前記鉛直部の厚さ方向の前記第１の構成部材に備えられている部分を除く部分が前記第２の水平部と連続した第２の構成部材とを接合したものであり、前記第１の構成部材が有する前記鉛直部の一部と前記第２の構成部材が有する前記鉛直部の一部とを重ね合わせ、ほぼ均等な厚さの連続する部材となっていることを特徴とする踏み板支持構造を提供する。
【０００９】
この踏み板支持構造では、受け桁材の水平方向の寸法を、柱と柱の間又は柱と間柱との間に架け渡される長さに設定し、柱又は間柱に両端を固定することができる。そして、この受け桁材で２つの踏み板を支持するとともに、２つの踏み板間の段差を柱と柱の間又は柱と間柱との間に設けることができる。また、階段を形成するときに柱又は間柱に対してビス、釘等を用いて簡単に取り付けることができ、建築物の構築現場における作業性が良好なものとなる。
さらに、第１の構成部材の鉛直部と第２の構成部材の鉛直部とを重ね合わせて接合することによって連続する受け桁材となっており、小さな部材の組み合わせで２つの水平部とこれらの間の鉛直部とが連続した受け桁材を得ることができる。したがって、材料費を少なく抑えることが可能となる。
なお、受け桁材を柱に固定するときには、柱の側面に沿って鉛直方向に補助部材を取り付け、この補助部材を介して受け桁材を取り付けることもできる。
【００１０】
請求項２に係る発明は、  木造建築物の壁体に沿って方向を変えながら複数の踏み段が設けられた階段の構築方法であって、  前記壁体に設けられた柱又は間柱にほぼ水平に固定される第１の水平部分の一端に、該水平部分の厚さ方向の一部に相当する厚さの第１の鉛直部分がＬ字状に連続した第１の構成部材と、  前記第１の水平部分とほぼ同じ厚さを有する第２の水平部分の一端に、前記第１の鉛直部分と重ね合わせて前記第１の水平部分及び第２の水平部分とほぼ同じ厚さとなる第２の鉛直部分がＬ字状に連続した第２の構成部材と、を製作し、  前記階段の踏み板の奥行き及び踏み板の段差に応じて、前記第１の構成部材及び第２の構成部材のそれぞれの水平部分及び鉛直部分の端部を切断して長さを調整し、  前記第１の鉛直部分と前記第２の鉛直部分とを重ね合わせて前記第１の構成部材と前記第２の構成部材とを接合して、第１の踏み板を支持する第１の水平部と、第１の踏み板に隣接し所定の段差を有する第２の踏み板を支持する第２の水平部と、前記第１の水平部の端部と前記第２の水平部の端部とを鉛直方向に連結する鉛直部とが、ほぼ均等な厚さで連続する受け桁材とし、  該受け桁材を、該階段の外回り縁に沿った壁体に設けられた柱又は間柱に固定し、  該受け桁材の前記第１の水平部及び第２の水平部上に、前記踏み板の外回り縁側の端部を支持させて前記踏み板を設けることを特徴とする階段の構築方法を提供するものである。
【００１１】
この階段の構築方法では、階段の踏み板の寸法及び段差の寸法（蹴上げ寸法）に対して鉛直部分と水平部分とが充分な長さとなるように寸法を設定して第１の構成部材と第２の構成部材とを予め形成しておくことができる。そして、建築物の規模や構造に応じて階段の踏み板の寸法及び段差の寸法が決定されると、この寸法に対応して第１の構成部材及び第２の構成部材の鉛直部分と水平部分とを切断し、これらを接合して２つの踏み板を支持する受け桁材とすることができる。
このような受け桁材は、建築物の構築現場において両端を柱又は間柱に容易に固定することができるとともに、柱と柱の間又は柱と間柱との間に段差を設けて踏み板を支持することができる。
【発明の効果】
【００１２】
以上説明したように、本発明に係る踏み板支持構造では、柱と柱の間又は柱と間柱との間に連続した受け桁材で、段差を設けて配列される２つの踏み板を支持することができるとともに、踏み板の支持構造を形成する費用を少なく抑えることができる。
また、本発明に係る階段の構築方法では、予め形成されている第１の構成部材と第２の構成部材を用い、その後に決定された階段の踏み板の寸法及び段差の寸法等に対応した受け桁材を形成することができる。そして、このような受け桁材は、柱又は間柱に容易に固定することができるとともに、柱と柱の間又は柱と間柱との間に段差を設けて２つの踏み板を連続して支持することができる。
【図面の簡単な説明】
【００１３】
【図１】本発明の一実施形態である踏み板支持構造が適用された階段の平面図及び断面図である。
【図２】図１に示す階段の断面図である。
【図３】図１に示す階段の受け桁材を形成するために用いられる第１の構成部材及び第２の構成部材の平面図及び正面図である。
【図４】図３に示す第１の構成部材と第２の構成部材とを接合して受け桁材とする方法を示す概略斜視図である。
【図５】受け桁材が柱及び間柱に支持された状態を示す概略斜視図である。
【図６】本発明に係る踏み板支持構造が適用された階段の他の例を示す平面図及び断面図である。
【図７】受け桁材を形成する第１の構成部材及び第２の構成部材の他の例を示す概略斜視図である。
【図８】従来の踏み板支持構造を用いた階段の平面図及び断面図である。
【図９】従来の踏み板支持構造を用いた階段の他の例を示す平面図及び断面図である。
【発明を実施するための形態】
【００１４】
以下、本発明の実施の形態を図に基づいて説明する。
図１（ａ）は、本発明の踏み板支持構造が適用された階段の平面図であり、図１（ｂ）は図１（ａ）中に示すＡ−Ａ線における立断面図である。また、図２は、図１（ａ）中に示すＢ−Ｂ線及びＣ−Ｃ線における立断面図である。
この階段は、木造建築物の下層階と上層階との間を昇降するために設けられ、下層階から第１の直階段部、廻り階段部及び第２の直階段部を経て上層階に至るものとなっている。
【００１５】
廻り階段部は、５段分の踏み板１，２，３，４，５が配置されており、いずれもが奥行き方向の寸法が左右で異なっている。これにより第１の直階段部の上部から第２の直階段部の下部までに方向をほぼ１８０°変更するものとなっている。この廻り階段部は、３方が壁体６，７，８によって囲まれており、この廻り階段部の外回り縁つまり方向を変えるときの外側となる縁は、これらの壁体６，７，８に沿った位置に形成されている。上記壁体６，７，８は柱及び間柱、及びこれらに取り付けられた壁下地材２６を含むものであり、第１の直階段部が廻り階段部に続く位置では、外回り縁に沿った壁体６内に第１の柱１１が立設されている。また、廻り階段の外回り縁の２つの隅角部には第２の柱１２及び第４の柱１４が立設されている。第２の柱１２から第４の柱１４まではまっすぐに連続する壁体７となっており、これらの柱１２，１４の中間位置に第３の柱１３が立設されている。また、廻り階段部から第２の直階段部に続く位置では外回り縁に沿った壁体８内に第５の柱１５が立設されている。そして、これらの柱間には間柱１６が設けられている。
【００１６】
廻り階段部の上記踏み板１，２，３，４，５は、外回り縁に沿った端部が上記３つの壁体６，７，８の柱間に取り付けられた受け桁材２１，２２，２３，２４によって支持される。また、内回り縁に沿った端部は、方向が１８０°変換されるほぼ中心となる位置に立設された内側柱１７に踏み板毎の支持部材１８を取り付け、これらの支持部材１８によって支持される。
【００１７】
外回り縁に沿った端部を支持する受け桁材２１，２２，２３，２４は、図１（ｂ）及び図２に示すように、端部が柱１１，１３，１５に対して直接に、又は補助部材１９を介して柱１２，１４に固定されるものである。受け部材２１，２２，２３，２４の固定には、ビス、釘又は周面に螺旋状の溝が多数設けられた釘（ラグスクリュー）等を用いることができる。また、間柱１６と対向する位置でも同様にビス等を用いて間柱１６に固定されている。これらの受け桁材２１，２２，２３，２４は、例えば図１（ｂ）に示すように、段差（蹴上げ高さ）を設けて配置される２つの踏み板２，３の下側の踏み板２を支持する第１の水平部２２ａと、上側の踏み板３の端部を支持する第２の水平部２２ｂと、第１の水平部２２ａと第２の水平部２２ｂとを鉛直方向に連結する鉛直部２２ｃとを有するものとなっている。鉛直部２２ｃの長さは踏み板２，３間の段差に応じて定まるものであり、一つの階段では多くの場合段差は等しく、同じ階段で用いられる複数の受け桁材２１，２２，２３，２４では、一般に同じ長さとなっている。これに対し、第１の水平部２１ａ，２２ａ，２３ａ，２４ａ及び第２の水平部２１ｂ，２２ｂ，２３ｂ，２４ｂの長さは、柱間毎に設けられる複数の受け桁材２１，２２，２３，２４でそれぞれ異なるものとなっており、第１の柱１１と第２の柱１２との間の第１の壁体６に取り付けられる受け桁材２１では、下側の踏み板１を支持する第１の水平部２１ａが長く、上側の踏み板２を支持する第２の水平部２１ｂが短くなっている。また、第４の柱１４と第５の柱１５との間の第３の壁体８に取り付けられた受け桁材２４では、下側の踏み板４を支持する第１の水平部２４ａが短く、上側の踏み板５を支持する第２の水平部２４ｂが長くなっている。
【００１８】
上記のように柱１１，１２，１３，１４，１５及び間柱１６に取り付けられた受け桁材２１，２２，２３，２４の上に踏み板１，２，３，４，５の外回り縁に沿った端部が載せ掛けられ、支持される。第１の直階段に続く部分の踏み板１は第１の壁体６に取り付けられた受け桁材２１の第１の水平部２１ａに支持されている。そして、隅角部を含む踏み板２は第１の壁体６に取り付けられた受け桁材２１の第２の水平部２１ｂに一部が載せ掛けられるとともに、第２の壁体７に取り付けられた受け桁材２２の第１の水平部２２ａにも一部が載せ掛けられている。したがって、第１の壁体６に取り付けられた受け桁材２１の第２の水平部２１ｂと第２の壁体７に取り付けられた受け桁材２２の第１の水平部２２ａとは同じ高さとなっている。また、第２の柱１２と第３の柱１３との間に架け渡された受け桁材２２の第２の水平部２２ｂは、第３の柱１３と第４の柱１４との間に架け渡された受け桁材２３の第１の水平部２３ａと同じ高さとなるように端面を突き合わせて取り付けられている。そして、第２の壁体７に含まれる第３の柱１３と側縁が対向するように設けられる踏み板３は、これらの二つの受け桁材２２，２３に跨って支持されている。また、第２の壁体７から第３の壁体８にかけても２つの踏み板４，５が同様に支持されている。
一方、これらの受け桁材の鉛直部２１ｃ，２２ｃ，２３ｃ，２４ｃには蹴込み板９が取り付けられる。
【００１９】
上記受け桁材２１，２２，２３，２４は、図３に示すような第１の構成部材３１と第２の構成部材３２とを接合することによって形成されるものである。第１の構成部材３１は第１の水平部（例えば２２ａ）となる水平部分３１ａとこの水平部分３１ａの一端と連続して受け桁材の鉛直部（例えば２２ｃ）を構成する鉛直部分３１ｂとを有するものである。鉛直部分３１ｂは水平部分３１ａの半分の厚さとなっており、所定の長さを有する水平部分３１ａの軸線と直角となる端面３１ｃと連続している。そして、水平部分３１ａの軸線と直角方向に所定の長さを有し、形状がほぼＬ字状となっている。また、第２の構成部材３２は第２の水平部（例えば２２ｂ）となる水平部分３２ａとこの水平部分３２ａの一端と連続して受け桁材の鉛直部（例えば２２ｃ）を構成する鉛直部分３２ｂとを有するものである。第２の構成部材３２の水平部分３２ａは、第１の構成部材の水平部分３１ａほぼ同じ厚さを有するものであり、第１の構成部材３１と同様に所定の長さを有するものとなっている。第２の構成部材の鉛直部分３２ｂは、第１の構成部材３１と同様に、水平部分３２ａの半分の厚さとなっており、水平部分３２ａの軸線と直角となる端面に連続し、水平部分３２ａの軸線と直角方向に伸びて所定の長さを有するものとなっている。この第２の構成部材３２の鉛直部分３２ｂの伸長する方向は、図４に示すように第１の構成部材３１の鉛直部分３１ｂと重ね合わせて接合したときに、第１の構成部材３１の水平部分３１ａと第２の構成部材３２の水平部分３２ａとが鉛直部分３１ｂ，３２ｂを介して段差を有し、ほぼ等厚の連続する受け桁材（例えば２２）となるように設定されている。
【００２０】
上記第１の構成部材３１及び第２の構成部材３２の水平部分３１ａ，３２ａ及び鉛直部分３１ｂ，３２ｂの長さは、柱間に架け渡すように形成する受け桁材２１，２２，２３，２４の様々な寸法のいずれにも対応することができるように定められていることが望ましい。つまり図１（ｂ）及び図２に示すように受け桁材には第１の水平部２１ａ，２２ａ，２３ａ，２４ａが長いもの、第２の水平部２１ｂ，２２ｂ，２３ｂ，２４ｂが長いもの等があり、これらのいずれをも形成することができるものが望ましい。また、鉛直部分３１ｂ，３２ｂも、受け桁材の鉛直部２１ｃ，２２ｃ，２３ｃ，２４ｃの長さが異なるものに対しても対応可能な長さとするのが望ましい。つまり、建築物の構造・用途等によって踏み板間の段差が変動しても対応する受け桁材を形成することができる長さに設定するものである。
【００２１】
また、上記第１の構成部材３１と第２の構成部材３２とは、受け桁材２１，２２，２３，２４の厚さに相当する厚さを備えた合板をＬ字状に切断し、鉛直部分３１ｂ，３２ｂを半分の厚さに切削して形成することができる。また、受け桁材２１，２２，２３，２４の半分の厚さを有する合板を貼り合わせるものとし、水平部分３１ａ，３２ａのみを構成する合板と水平部分３１ａ，３２ａと鉛直部分３１ｂ，３２ｂとが連続した形状の合板を貼り合わせて形成することもできる。
一方、上記第１の構成部材３１及び第２の構成部材３２に用いる材料は、上記合板以外に複数の木部材を貼り合わせた集成材、薄板を層状に貼り合わせた木部材等を用いることができるが、木目の方向によって受け桁材の一部例えば鉛直部２１ｃ，２２ｃ，２３ｃ，２４ｃの曲げ強度が低下するようなことを回避できる材料を用いるのが望ましい。
【００２２】
上記階段は、例えば次のように構築することができる。
上記階段の踏み板を支持する受け桁材２１，２２，２３，２４は、建築物の構築現場における施工に先立って、又は現場における施工と並行して製作することができる。受け桁材を製作するための第１の構成部材３１及び第２の構成部材３２は予め同じ寸法及び形状で多数が形成されているものを用いることができる。第１の構成部材３１及び第２の構成部材３２は、図４に示すように、水平部分３１ａ，３２ａと鉛直部分３１ｂ，３２ｂとの先端部を、製作しようとする受け桁材の寸法に応じて設定した切断線４１，４２，４３，４４で切断する。そして、鉛直部分３１ｂ，３２ｂに接着剤を塗布して重ね合わせ、ビス等によって重ね合わせた鉛直部分を強固に接合する。このように水平部分３１ａ，３２ａ及び鉛直部分３１ｂ，３２ｂを切断するものとし、その切断位置を適宜に設定することによって、図１（ｂ）及び図２に示すように水平部分の長さが異なる様々な態様の受け桁材２１，２２，２３，２４を同じ構成部材を用いて製作することができる。
【００２３】
このように製作した受け桁材２１，２２，２３，２４は建築物の構築現場に搬入し、図５に示すように、廻り階段部の三方を囲むように形成されている壁体の柱１１、柱１２に固着された補助部材１９及び間柱１６にビス等を用いて固定する。このとき、受け桁材２１は、柱等の側面に直接に当接して固定してもよいが、図１（ａ）に示すように、壁面を形成する壁下地材２６を先に柱及び間柱に取り付け、この壁下地材２６を介して取り付けてもよい。
【００２４】
一方、廻り階段部より下方にある第１の直階段部及び上方にある第２の直階段部には、例えば図５に示すように幅広の厚板の上縁に鉛直部と水平部と備えた受け桁材２５を取り付ける。そして、内回り縁に沿って設けられた支持部材１８と外回り縁に沿って取り付けられた受け桁材２１，２２，２３，２４，２５との間に上層階側から順次に踏み板と蹴込み板を取り付け、階段を完成する。
【００２５】
以上に説明した踏み板支持構造は、廻り階段部を含む他の形態の階段に適用することもできる。
図６に示す階段は、下層階から第１の直階段部、踊り場、廻り階段部及び第２の直階段部を経て上層階に至るようになっている。上記廻り階段部は、３つの踏み板５１，５２，５３を経て方向をほぼ９０°変更するものとなっている。また、踊り場は、第１の柱１１、第２の柱１２、第３の柱１３及び廻り階段のほぼ中心に設けられた内側柱１７とで囲まれた長方形の範囲となっており、水平に床板５４が支持されている。
【００２６】
この階段の廻り階段部では、踏み板５２の段鼻部５２ａが外回り縁で柱１４と間柱１６との間に位置し、段鼻部付近で受け桁材６３を柱又は間柱に支持させることができなくなっている。このように踏み板５１，５２，５３が配置されるときにも、図４に示すように製作された受け桁材６３を柱１３と柱１４との間に取り付けることにより、柱１３と柱１４との間で２つの踏み板５１，５２の外回り縁に沿った端部を支持することができるとともに、踏み板の支持構造を形成する費用を少なく抑えることができる。
このように踊り場の設置や、踏み板の数等は適宜に設定することができる。また、図１に示す階段及び図６に示す階段は、いずれも下層階から右回りで上層階に向かうものとなっているが、左回りで上層階に向かう階段であってもよい。
【００２７】
なお、上記実施形態で用いた受け桁材を形成するための構成部材は、鉛直部分が水平部分の半分の厚さにとなっているが、このような形態に限定されるものではなく、例えば図７に示すように、一方の構成部材７１の鉛直部分７１ｂは水平部分７１ａの１／３の厚さを有し、他方の構成部材７２は水平部分の１／３の厚さとなった２つの鉛直部分７２ｂが間隔を開けて平行に２つ備えられているものとすることができる。平行となった２つの鉛直部分７２ｂの間隔は、水平部分７２ａの厚さの１／３となっており、これらの間に接合するもう一方の構成部材７１の鉛直部分７１ｂを差し入れ、接着剤とビス等を用いて接合することができる。
【００２８】
このような構成部材７１，７２は、水平部分７１ａ，７２ａの１／３の厚さの合板を重ね合わせ、接着することによって形成することができる。つまり、水平部分７１ａ，７２ａのみの大きさに切断した合板と水平部分７１ａ，７２ａと鉛直部分７１ｂ，７２ｂとが連続してＬ字状となった合板とを重ね合わせて接合することにより、１／３の厚さの鉛直部分７１ｂ，７２ｂが水平部分と連続した構成部材７１，７２とすることができる。
この他、本発明は以上に説明した実施の形態に限定されるものではなく、本発明の範囲内で様々な形態で実施されたものを含むものである。
【符号の説明】
【００２９】
１，２，３，４，５：踏み板，    ６：第１の壁体，    ７：第２の壁体、    ８：第３の壁体，    ９：蹴込み板，    
１１：第１の柱，    １２：第２の柱，    １３：第３の柱，    １４：第４の柱，    １５：第５の柱，    １６：間柱，    １７：内側柱，    １８：支持部材，    １９：補助部材，    
２１，２２，２３，２４：受け桁材，    ２５：直階段部の受け桁材，    ２６：壁下地材，    
３１：第１の構成部材，    ３２：第２の構成部材，    
４１，４２：構成部材の水平部分の切断線，  ４３，４４：構成部材の鉛直部分の切断線，    
５１，５２，５３：踏み板，    ５４：踊り場の床板，    
６１，６２：踊り場の受け桁材，  ６３，６４：廻り階段部の受け桁材，    
７１：第１の構成部材，    ７２：第２の構成部材
【図１】
0005711067.tif 000002
【図２】
0005711067.tif 000003
【図３】
0005711067.tif 000004
【図４】
0005711067.tif 000005
【図５】
0005711067.tif 000006
【図６】
0005711067.tif 000007
【図７】
0005711067.tif 000008
【図８】
0005711067.tif 000009
【図９】
0005711067.tif 000010